(57)【要約】【課題】制御盤が昇降路内に配置されたエレベータ装置において、制御盤の保守や点検等の作業をかご内から効率よく実施することができるエレベータ装置を得る。【解決手段】エレベータ昇降路１内に設けられた制御盤６と、一側壁２ａに、制御盤６に対向する開口部９が形成されたかご２と、かご２に設けられ、開口部９を開閉する開閉扉１８と、開口部９の周囲を囲むようにかご２に設けられ、一側壁２ａから制御盤６側に向かって突出するように配置されるとともに、開閉扉１８を開放することにより、一側壁２ａの外側に、かご２内から開口部９を介して進入可能な作業場を形成する囲い壁１０とを備える。【選択図】図３
2008195523.tif 000002
【特許請求の範囲】
【請求項１】
エレベータ昇降路内に設けられた制御盤と、
一側壁に、前記制御盤に対向する開口部が形成されたかごと、
前記かごに設けられ、前記開口部を開閉する開閉扉と、
前記開口部の周囲を囲むように前記かごに設けられ、前記一側壁から前記制御盤側に向かって突出するように配置されるとともに、前記開閉扉を開放することにより、前記一側壁の外側に、前記かご内から前記開口部を介して進入可能な作業場を形成する囲い壁と、
を備えたことを特徴とするエレベータ装置。
【請求項２】
囲い壁に設けられ、かごが制御盤の設置高さに合わせて停止した際に、前記囲い壁によって形成された作業場及び前記制御盤の内部を照らす作業用照明と、
を備えたことを特徴とする請求項１に記載のエレベータ装置。
【請求項３】
囲い壁に設けられ、前記囲い壁によって形成された作業場から所定の工具を出し入れ可能な工具箱と、
を備えたことを特徴とする請求項１又は請求項２に記載のエレベータ装置。
【請求項４】
囲い壁は、かごの一側壁に形成された開口部の周囲全体を囲むように前記一側壁に設けられたことを特徴とする請求項１から請求項３の何れかに記載のエレベータ装置。
【発明の詳細な説明】
【技術分野】
【０００１】
この発明は、昇降路内に制御盤が設けられたエレベータ装置に関するものである。
【背景技術】
【０００２】
昇降路上方に機械室が設置されていないエレベータ装置、いわゆる機械室レスエレベータ装置では、従来機械室に設置されていた巻上機や制御盤等のエレベータ機器類を昇降路内に設置している。このため、エレベータの保守時や点検時、作業員は、昇降路内で制御盤の保守や点検等の作業を行う必要がある。
【０００３】
このようなエレベータ装置の従来技術として、昇降路内に設置された制御盤に対向するようにエレベータのかごの側壁に開口部を形成し、この開口部から制御盤の保守や点検を行うようにしたものが提案されている（例えば、特許文献１及び２参照）。
【０００４】
【特許文献１】特開平１０−２３１０７４号公報
【特許文献２】特開２００１−８０８３４号公報（図４）
【発明の開示】
【発明が解決しようとする課題】
【０００５】
特許文献１及び２記載のものでは、作業員がエレベータのかご内から制御盤の保守や点検等が実施できるように、制御盤の設置位置に合わせて、かごの側壁に開口部が形成されている。しかし、制御盤が昇降路内に配置された機械室レスエレベータ装置では、通常、かごが制御盤の高さを通過する際及びかごが制御盤に隣接して停止した際にかごと制御盤とが接触することを防止するため、かご及び制御盤の間に所定の間隙が設けられている。このため、作業員がかご内から制御盤の保守や点検等の作業を行う場合に、制御盤が上記間隙の幅だけ離れて配置されることになり、作業性が悪化するといった問題が生じていた。
【０００６】
また、特許文献１及び２記載のものでは、作業員がかご内から制御盤の保守や点検等の作業を行う際に、作業に必要な工具類を上記間隙から昇降路内に落下させてしまう恐れもあった。かかる場合、作業員は保守等の作業を一時中断して落下物を拾いに行かなければならず、作業性を更に悪化させる要因となっていた。
【０００７】
この発明は、上述のような課題を解決するためになされたもので、その目的は、制御盤が昇降路内に配置されたエレベータ装置において、制御盤の保守や点検等の作業をかご内から効率よく実施することができるエレベータ装置を提供することである。
【課題を解決するための手段】
【０００８】
この発明に係るエレベータ装置は、エレベータ昇降路内に設けられた制御盤と、一側壁に、制御盤に対向する開口部が形成されたかごと、かごに設けられ、開口部を開閉する開閉扉と、開口部の周囲を囲むようにかごに設けられ、一側壁から制御盤側に向かって突出するように配置されるとともに、開閉扉を開放することにより、一側壁の外側に、かご内から開口部を介して進入可能な作業場を形成する囲い壁と、を備えたものである。
【発明の効果】
【０００９】
この発明によれば、制御盤が昇降路内に配置されたエレベータ装置において、制御盤の保守や点検等の作業をかご内から効率よく実施することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータ装置を示す側面図、図２はこの発明の実施の形態１におけるエレベータ装置を示す平面図、図３は図２に示すエレベータ装置のＡ−Ａ矢視図である。なお、図１乃至図３は、エレベータの昇降路上方に機械室が設置されていないエレベータ装置、いわゆる機械室レスエレベータ装置を示している。
【００１２】
図１乃至図３において、１はエレベータ昇降路であり、上述したように、この昇降路１上方には機械室が設置されていない。このため、従来機械室に設置されていたエレベータ機器類は昇降路１内等に設置されている。２は昇降路１内を昇降するかご、３はかご２とは逆方向に昇降路１内を昇降する釣合い重り、４はかご２と釣合い重り３とを昇降路１内で釣瓶式に懸架する主ロープ、５は昇降路１の頂部に設けられたエレベータ巻上機の駆動綱車、６は上記巻上機等といったエレベータの各種機器類を制御する制御盤である。
【００１３】
上記制御盤６は、昇降路壁１ａや昇降路梁等からなる昇降路固定体に設けられるとともに、かご２が隣接して停止することのできる所定の高さに配置されている。また、制御盤６は、平面視、かご２の一側壁２ａに対向するように配置され、このかご２の上記一側壁２ａに対向する部分に、保守及び点検用の制御盤開口部（図示せず）が形成されている。なお、制御盤６に形成された上記制御盤開口部は、常時は蓋７によって閉鎖されている。８は制御盤６を昇降路壁１ａ（昇降路固定体）に固定するための固定手段である。この固定手段８は、アンカーボルト等によって昇降路壁１ａに強固に固定されるとともに、複数のボルトによって制御盤６が固定されている。
【００１４】
また、上記かご２には、平面視制御盤６と対向する一側壁２ａに、かご２外部（昇降路１内）に通じる所定の大きさの開口部９が形成されている。この開口部９は、かご２が制御盤６の設置高さに合わせて停止した際に、制御盤６に形成された上記制御盤開口部に対向するように形成されている、なお、上記開口部９は、大人が屈むことなく通過できる程度の大きさを有しており、例えば、図１及び図３に示すように、かご２の床面から天井面に至る高さを有している。
【００１５】
また、上記かご２には、上記開口部９の周囲を囲むように囲い壁１０が設けられている。この囲い壁１０は、かご２の一側壁２ａから制御盤６が設置されている昇降路壁１ａ（制御盤６側）に向かって突出するように配置されている。また、囲い壁１０は、かご２が制御盤６の高さを通過する際及びかご２が制御盤６に隣接して停止した際に制御盤６に接触することがなく、且つ、かご２の一側壁２ａと制御盤６との間に形成された幅Ｇの間隙を可能な限り塞ぐように配置されるとともに、かご２を制御盤６に隣接して停止させた際に、制御盤開口部の全体が上記囲い壁１０の内側に配置されるように構成されている。
【００１６】
即ち、上記囲い壁１０は、エレベータ作業員が制御盤６の保守や点検等の作業をかご２内から行う際の作業空間、作業場を形成し、例えば、全体として四角環状を呈する床板１１、天井板１２、側壁板１３及び１４の各パネルによって構成される。具体的には、上記床板１１は、一縁部がかご２の巾木２ｂ上部に設けられ、他縁部が制御盤６側に突出するように配置される。この床板１１の上面は、作業員が制御盤６の保守等を実施する際の作業場床面を形成する。
【００１７】
また、上記天井板１２は、一縁部がかご２の天井照明装置１５よりも下方となる一側壁２ａに設けられ、他縁部が制御盤６側に突出するように配置される。この天井板１２の下面は、床板１１の上面と対向するように配置されるとともに、作業員が制御盤６の保守等を実施する際の作業場天井面を形成する。また、天井板１２には、囲い壁１０によって形成された作業場、及び、かご２が制御盤６の設置高さに合わせて停止した場合における制御盤６の内部を照らすことができるように、その中央部に作業用照明１６が設けられている。上記側壁板１３及び１４は、床板１１と天井板１２との間を塞ぐように床板１１及び天井板１２間に渡って立設されている。なお、１７は一方の側壁板１３に設けられた工具箱であり、例えば、囲い壁１０により形成された作業場内で作業をする作業員が、工具類を出し入れし易い位置に配置されている。
【００１８】
１８は上記開口部９を開閉するためにかご２に設けられた開閉扉である。この開閉扉１８は、エレベータの通常運転時には開口部９を閉鎖するように閉じられており、制御盤６の保守等が必要な要時に、作業員のかご２内からの操作によって開放される。例えば、開閉扉１８には専用の鍵でしか解錠することができない施錠装置（図示せず）が設けられており、一般の乗客には開放できないように構成されている。
【００１９】
上記構成を有するエレベータ装置では、昇降路１内に設置された制御盤６の保守や点検等を実施する場合、先ず、かご２を制御盤６の設置高さに合わせて停止させ、制御盤６に形成された制御盤開口部を囲い壁１０の内側に配置する。次に、作業員は、かご２内から開閉扉１８を開放するとともに、かご２内から開口部９を通って、一側壁２ａの外側に、囲い壁１０によって形成された作業場に進入する。そして、上記作業場において制御盤６の蓋７を開放し、制御盤６の保守や点検等の必要な作業を行う。なお、作業中は、工具箱１７から必要な工具を取り出し、不要な工具は工具箱１７に収納する。また、作業用照明１６を点灯させて作業場及び制御盤６の内部を照らし、作業を行うのに十分な照度を得るようにする。
【００２０】
この発明の実施の形態１によれば、機械室レスエレベータ装置のように、制御盤６が昇降路１内に設置されている場合でも、制御盤６の保守や点検等の作業をかご２内から効率良く実施することができ、作業時間を大幅に短縮させることが可能となる。即ち、エレベータの作業員は、かご２の一側壁２ａの外側に形成された作業場から、制御盤６の保守や点検等といった作業を実施することができるため、かご２と制御盤６との間に形成された間隙の幅Ｇが大きい場合であっても、制御盤６に接近して安全に上記作業することが可能となる。
【００２１】
ここで、囲い壁１０は、上記間隙Ｇを可能な限り塞ぐように制御盤６側に向かって突設されているため、作業員が昇降路１内に落下することは勿論、工具類が昇降路１内に落下することも確実に防止することが可能となる。また、囲い壁１０の天井板１２には、囲い壁１０によって形成された作業場及び制御盤６の内部を照らす作業用照明１６が設けられているため、作業に必要な照度を十分に得られ、作業者の手元や制御盤６の内部が暗くなるといったことも確実に防止できる。また、囲い壁１０に工具箱１７を設置しておけば、作業性を向上させる効果を期待できる他、工具が放置されることによってかご２内の意匠面が傷付けられるといった事故も防止できる。
【００２２】
なお、図１乃至図３に示す実施の形態１においては、囲い壁１０が、開口部９の周囲全体を取り囲むように設けられた場合について説明したが、この囲い壁１０は、開口部９の周囲全体を取り囲む構成に限らず、例えば、図４に示すように、開口部９の周囲のうち、その一部を開放するように構成しても上記と同様の効果を奏することは可能である。なお、図４において、床板１１に立設された側壁板１３ａ及び１４ａの各上端部と天井板１２との間には所定の間隙が形成されており、囲い壁１０に所定の開放部分が設けられている。
【００２３】
上記構成を有するエレベータ装置では、例えば、かご２に設置するエレベータ機器類を囲い壁１０の上記開放部分に配置することにより、床板１１上から当該機器類の保守や点検等の作業が実施できるようになる。
【図面の簡単な説明】
【００２４】
【図１】この発明の実施の形態１におけるエレベータ装置を示す側面図である。
【図２】この発明の実施の形態１におけるエレベータ装置を示す平面図である。
【図３】図２に示すエレベータ装置のＡ−Ａ矢視図である。
【図４】この発明の実施の形態１におけるエレベータ装置の他の構成を示す要部斜視図である。
【符号の説明】
【００２５】
１  昇降路
１ａ  昇降路壁
２  かご
２ａ  一側壁
２ｂ  巾木
３  釣合い重り
４  主ロープ
５  駆動綱車
６  制御盤
７  蓋
８  固定手段
９  開口部
１０  囲い壁
１１  床板
１２  天井板
１３、１３ａ、１４、１４ａ  側壁板
１５  天井照明装置
１６  作業用照明
１７  工具箱
１８  開閉扉
【図１】
2008195523.tif 000003
【図２】
2008195523.tif 000004
【図３】
2008195523.tif 000005
【図４】
2008195523.tif 000006